(57)【要約】【課題】断熱性能を損なうことなしに屋根材同士をつなぎ合わせることができるサンドイッチタイプの嵌合式屋根材を提案する。【解決手段】嵌合式屋根材を、屋根材本体の外表面を形成するとともに、上ハゼ、下ハゼを形作る外皮材と、該外皮材の裏側面に間隔を隔てて対向配置され、前記屋根材本体の内表面を形成する内皮材と、該外皮材、該内皮材にて挟持され、断熱層を形成する芯材とを備えたもので構成し、外皮材に、傾斜下がり壁を設け、内皮材に、傾斜立ち上がり壁を設ける。【選択図】図１
2020176402.tif 000002
【特許請求の範囲】
【請求項１】
梁間方向に沿って延伸する一対の長尺縁部とこれら各長尺縁部を挟み込んで桁方向に沿って延伸する一対の短尺縁部とによって区画された輪郭形状を有する屋根材本体と、該屋根材本体の各長尺縁部のそれぞれに沿って一体連結する上ハゼ、下ハゼとを備え、
該各短尺縁部を、該屋根材本体の水下側、水上側にそれぞれ隣接配置する他の屋根材の短尺縁部に重ね合わせて屋根材同士を梁間方向へ接続する一方、該上ハゼ、下ハゼを、桁方向に隣接配置する別の屋根材の下ハゼ、上ハゼにそれぞれ嵌合させて屋根材同士を桁方向へ接続することにより建築構造物の屋根を葺きあげる嵌合式の屋根材であって、
前記屋根材本体の外表面を形成するとともに、前記上ハゼ、下ハゼを形作る外皮材と、該外皮材の裏側面に間隔を隔てて対向配置され、前記屋根材本体の内表面を形成する内皮材と、該外皮材、該内皮材にて挟持され、断熱層を形成する芯材とを備え、
該外皮材は、該下ハゼの下端につながり、該芯材の幅方向の一方の端面を覆い隠すとともに、桁方向に隣接配置する別の屋根材の幅方向の端面に向けて漸次に迫り出した傾斜下がり壁を有し、
前記内皮材は、該芯材の幅方向の他方の端面の全部もしくは一部分を覆い隠すとともに、桁方向に隣接配置する別の屋根材の端面に向け該上ハゼ直下まで漸次に立ち上がる傾斜立ち上がり壁を有することを特徴とする嵌合式屋根材。
【請求項２】
前記傾斜下がり壁は、その下端に、前記内皮材と同一平面に位置し、ビス、ドリルねじ等の固定手段を打ち込んで前記屋根材本体を下地材に固定する舌片を有することを特徴とする請求項１に記載した嵌合式屋根材。
【請求項３】
前記舌片は、前記傾斜下がり壁と協働して隠し樋を形成するリブを有することを特徴とする請求項２に記載した嵌合式屋根材。
【発明の詳細な説明】
【技術分野】
【０００１】
本発明は、一般住宅や事務所、マンション、福祉施設、リゾート施設等の屋根において幅広く使用される、嵌合式屋根材、とくに、断熱材等を芯材としてこれを外皮材と内皮材とで挟持した積層構造の嵌合式屋根材に関するものである。
【背景技術】
【０００２】
断熱層を形成する芯材を外皮材と内皮材とで挟持した積層構造の屋根材は、断熱性能が高く、軽量でありながら高い強度、耐久性、消音性を有しており、近年、その需要が増加する傾向にある。
【０００３】
かかる嵌合式の屋根材は、一方の屋根材の端部に設けられた上ハゼを、他方の屋根材の端部に設けられた下ハゼに嵌合させることにより屋根材同士を桁方向につなぎ合わせて屋根を葺きあげるのが一般的である。
【０００４】
ところで、従来の嵌合式の屋根材は、屋根材同士がつなぎ合わされた状態では、屋根材の働き幅の変形に応じて、屋根材端面の相互間に厚さ方向に沿って連続した、図８に示すような隙間ｔが生じることがあり、積層構造になる屋根材が本来持つ断熱特性を有効に発揮させることができない不具合を有していた。
【発明の概要】
【発明が解決しようとする課題】
【０００５】
本発明の目的は、断熱欠損を引き起こすような隙間を生じることなしに、屋根材同士をつなぎ合わせることができる嵌合式屋根材を提案するところにある。
【課題を解決するための手段】
【０００６】
本発明は、梁間方向に沿って延伸する一対の長尺縁部とこれら各長尺縁部を挟み込んで桁方向に沿って延伸する一対の短尺縁部とによって区画された輪郭形状を有する屋根材本体と、該屋根材本体の各長尺縁部のそれぞれに沿って一体連結する上ハゼ、下ハゼとを備え、
該各短尺縁部を、該屋根材本体の水下側、水上側にそれぞれ隣接配置する他の屋根材の短尺縁部に重ね合わせて屋根材同士を梁間方向へ接続する一方、該上ハゼ、下ハゼを、桁方向に隣接配置する別の屋根材の下ハゼ、上ハゼにそれぞれ嵌合させて屋根材同士を桁方向へ接続することにより建築構造物の屋根を葺きあげる嵌合式の屋根材であって、
前記屋根材本体の外表面を形成するとともに、前記上ハゼ、下ハゼを形作る外皮材と、該外皮材の裏側面に間隔を隔てて対向配置され、前記屋根材本体の内表面を形成する内皮材と、該外皮材、該内皮材にて挟持され、断熱層を形成する芯材とを備え、
該外皮材は、該下ハゼの下端につながり、該芯材の幅方向の一方の端面を覆い隠すとともに、桁方向に隣接配置する別の屋根材の幅方向の端面に向けて漸次に迫り出した傾斜下がり壁を有し、
前記内皮材は、該芯材の幅方向の他方の端面の全部もしくは一部分を覆い隠すとともに、桁方向に隣接配置する別の屋根材の端面に向け該上ハゼ直下まで漸次に立ち上がる傾斜立ち上がり壁を有することを特徴とする嵌合式屋根材である。
【０００７】
上記の構成からなる嵌合式屋根材において、
１）前記傾斜下がり壁は、その下端に、前記内皮材と同一平面に位置し、ビス、ドリルねじ等の固定手段を打ち込んで前記屋根材本体を下地材に固定する舌片を有すること、
２）前記舌片は、前記傾斜下がり壁と協働して隠し樋を形成するリブを有すること、が課題解決のための具体的手段として好ましい。
【発明の効果】
【０００８】
本発明によれば、外皮材に設けられた傾斜下がり壁が、隣接配置する別の屋根材に設けられた傾斜立ち上がり壁に対面し、内皮材に設けられた傾斜立ち上がり壁が、隣接配置する別の屋根材に設けられた傾斜下がり壁に対面することになるため、屋根材の働き幅に応じてその端面相互間に隙間が生じることがあったとしても、板材本体の厚さ方向に沿って連続するような隙間が形成されることがなく、断熱性能が大きく損なわれることはない。
【０００９】
また、本発明によれば、屋根材の嵌合部分から雨水等が侵入したとしても、侵入した雨水等を隠し樋を通して効率的に排出することができる。
【図面の簡単な説明】
【００１０】
【図１】本発明にしたがう嵌合式屋根材の実施の形態を示した外観斜視図である。
【図２】図１に示した嵌合式屋根材の正面を示した図である。
【図３】図２に示した嵌合式屋根材を分解状態で示した図である。
【図４】本発明にしたがう嵌合式屋根材のつなぎ合わせ状況を示した図である。
【図５】本発明にしたがう嵌合式屋根材のつなぎ合わせ状況を示した図である。
【図６】発明にしたがう嵌合式屋根材と、隣接配置する別の屋根材とを桁方向につなぎ合わせた状態を一部分について示した断面図である。
【図７】本発明にしたがう嵌合式屋根材を複数枚用いて建築構造物の屋根を葺きあげる場合の一例を部分的に示した図である。
【図８】サンドイッチタイプの嵌合式屋根材をつなぎ合わせる際に従来生じていた不具合の説明図である。
【発明を実施するための形態】
【００１１】
以下、図面を参照して、本発明をより具体的に説明する。
図１は、本発明にしたがう嵌合式屋根材の実施の形態を示した外観斜視図であり、図２は、図１に示した嵌合式屋根材の正面を示した図であり、図３は、本発明にしたがう嵌合式屋根材を分解状態で示した図である。
【００１２】
本発明にしたがう嵌合式屋根材は、下継手が設けられた側を棟に向け、上継手が設けられた側を軒に向けて配置されるものであって、下継手が設けられた側を水上側、上継手が設けられた側を水下側とする。建築構造物の屋根を葺きあげるにあたっては、本発明にしたがう屋根材と同じ構成からなる屋根材を複数枚用いることを前提としており、隣接配置する他の屋根材、隣接配配置する別の屋根材についても本願発明にしたがう屋根材と同じ構成からなるものとする。
【００１３】
図１〜３における符号１は、屋根材本体である。屋根材本体１は、梁間方向に沿って延伸する一対の長尺縁部１ａ、１ｂと、これら長尺縁部１ａ、１ｂを挟み込んで桁方向に沿って延伸する一対の短尺縁部１ｃ、１ｄによって区画された、全体として矩形状をなす輪郭形状を有している。
【００１４】
また、２は、屋根材本体１の長尺縁部１ａに一体連結するとともに、桁方向の一方に隣接配置する別の屋根材の下ハゼに嵌合して屋根材同士を接続する上ハゼである。
【００１５】
この上ハゼ２は、長尺縁部１ａから立ち上がる傾斜側板２ａと、この傾斜側板２ａの上端に係止顎部ｔ１を介してつながるとともに、桁方向に隣接配置する別の屋根材の下ハゼに嵌合可能な内部空間を有する先端先細り形状をなすドーム型の頭部２ｂと、この頭部２ｂに係止顎部ｔ２を介して垂下、保持され、傾斜側板２ａとの相互間にて下開き開口を形成する傾斜側板２ｃとから構成されている。上ハゼ２は、頭部２ｂの側壁に長尺縁部１ａに沿って延伸する凹部を設けることが可能であり、これにより、桁方向に隣接配置する別の屋根材の下ハゼに嵌合させた際に、その相互間で面接触するのを避けて雨水等の侵入を防止することができるようになっている。
【００１６】
また、３は、屋根材本体１の長尺縁部１ｂに一体連結するとともに、桁方向のもう一方に隣接配置する別の屋根材の下ハゼに嵌合して屋根材同士を接続する下ハゼである。
【００１７】
この下ハゼ３は、長尺縁部１ｂから立ち上がる側板３ａと、この側板３ａの上端に係止顎部ｔ３を介してつながるとともに、桁方向に隣接配置する他の屋根材の上ハゼに嵌合可能な先端先細り形状をなす頭部３ｂと、この頭部３ｂに係止顎部ｔ４介して垂下、保持され、側板３ａとの相互間にて下開き開口を形成する側板３ｃから構成されている。
【００１８】
係止顎部ｔ１と係止顎部ｔ２とは相互に逆向きに突出していて、両者でもって嵌合させたハゼの引き抜けを防止する。また、係止顎部ｔ３と係止顎部ｔ４とは、上記の係止顎部ｔ１、係止顎部ｔ２と同様に、相互に逆向きになっており、両者でもって嵌合させたハゼの引き抜けを防止する。
【００１９】
４は、屋根材本体１の短尺縁部１ｃに設けられた下継手である。この下継手４は、屋根材本体１の外表面に面一状態でつながり、かつ、水上側に隣接配置する他の屋根材の短尺縁部の下側において重ね合わさるものである。
【００２０】
下継手４は、具体的には、ロール成形により屋根材本体１、上ハゼ２、下ハゼ３と同一断面形状に形成したのち、プレス成形による絞り加工を施すことによって成形されるものであって、屋根材本体１の短尺縁部１ｃの全域にわたって面一状態でつながる板状体４ａと、この板状体４ａの幅方向の端縁および上ハゼ２の端部において該上ハゼ２よりも低い段差を介してつながるとともに水上側に隣接配置する他の屋根材の上ハゼ（上継手の第三のハゼに相当するもの）に嵌合可能な第一のハゼ４ｂと、該板状体４ａのもう一方の幅方向の縁部および下ハゼ３の端部において該下ハゼ３よりも低い段差を介してつながるとともに水上側に隣接配置する他の屋根材の下ハゼ（上継手の第四のハゼに相当するもの）に嵌合可能な第二のハゼ４ｃとから構成されている。
【００２１】
また、５は、屋根材本体１のもう一方の短尺縁部１ｄに設けられた上継手（屋根の水下側に配置される）である。この上継手５は、屋根材本体１と面一状態でつながり、水下側に隣接配置する他の屋根材の短尺縁部（下継手に相当する部分）の上側において重ね合わさるものである。
【００２２】
上継手５は、具体的には、屋根材本体１に面一状態で一体連結する第一の板状体５ａと、この第一の板状体５ａの幅方向の各端部および上ハゼ２、下ハゼ３にそれぞれ面一状態で一体連結する第三のハゼ５ｂ、第四のハゼ５ｃとを備えている。なお、屋根材本体１と上継手５とをわかりやすく表示するため図１ではその境界を破線で表示している。
【００２３】
また、符号６は、前記屋根材本体の外表面を形成するとともに、上ハゼ２、下ハゼ３、下継手４、上継手５を形作る外皮材、７は、外皮材６の裏側面に間隔を隔てて対向配置され、屋根材本体１の内表面を形成する内皮材、８は、該外皮材６、該内皮材７にて挟持され、断熱層を形成する芯材である。芯材８は、下ハゼ３の内側まで充填されている。
【００２４】
外皮材６は、該下ハゼ３の下端につながり、該芯材８の幅方向の一方の端面を覆い隠すとともに、桁方向に隣接配置する別の屋根材の幅方向の端面に向けて漸次に迫り出した傾斜下がり壁６ａを有しており、内皮材７は、該芯材の幅方向の他方の端面の一部分を覆い隠すとともに、桁方向に隣接配置する別の屋根材の端面に向け該上ハゼ直下まで漸次に立ち上がる傾斜立ち上がり壁７ａを有している。傾斜立ち上がり壁７ａは、芯材８の幅方向の他方の端面の全面を覆うものであってもよい。
【００２５】
外皮材６、内皮材７を構成する素材としては、厚さ０．２〜１．０ｍｍ程度になる亜鉛めっき鋼板、アルミニウム亜鉛合金めっき鋼板、銅板、アルミニウム板、ステンレス鋼板あるいは、それらの塗装または被覆鋼板等を用いることができ、芯材８としては、厚さ１０〜１００ｍｍ程度の発泡プラスチック系（ポリイソシアヌレートフォーム、ウレタン樹脂等）あるいは鉱物繊維系（ロックウール等）の断熱材を用いることができる。
【００２６】
また、符号９は、傾斜下がり壁６ａの下端に設けられた舌片である。舌片９は、内皮材７と同一平面に位置し、ビス、ドリルねじ等の固定手段を打ち込んで屋根材本体１を下地材に固定保持するものである。また、符号１０は、舌片９に設けられ、傾斜下がり壁６ａと協働して隠し樋ｅを形成するリブである。
【００２７】
本発明にしたがう嵌合式屋根材は、外皮材６と、内皮材７とによって芯材８を挟持したサンドイッチタイプの嵌合式屋根材を構成するものであり、図４に示すように、下継手４の第一のハゼ４ｂを、水上側において隣接配置する他の屋根材の上継手５′の第三のハゼ５ｂ′に、また、下継手４の第二のハゼ４ｃを、該水上側において隣接配置する屋根材の上継手５′の第四のハゼ５ｃ′にそれぞれ嵌合させる一方、上継手５の第三のハゼ５ｂを、水下側において隣接配置する他の屋根材の下継手４′の第一のハゼ４ｂ′に、また、上継手５の第四のハゼ５ｃを、水下側において隣接配置する他の屋根材の下継手４′の第二のハゼ４ｃ′に嵌合させることによって屋根材同士を、梁間方向につなぎ合わせるものであり、また、図５に示すように、下ハゼ３を、隣接配置する別の屋根材の上ハゼ２′′を嵌合させ、上ハゼ２を、隣接配置する別の屋根材の下ハゼ３′′に嵌合させることによって屋根材同士を桁方向につなぎ合わせるものであって、この作業を、梁間方向で先行して行うことにより建築構造物の屋根を葺きあげるものである。
【００２８】
図６は、本発明にしたがう嵌合式屋根材と隣接配置する別の屋根材とを桁方向につなぎ合わせた状態を一部分について示した断面図である。
【００２９】
本発明にしたがう嵌合式屋根材は、外皮材６に傾斜下がり壁６ａを設け、内皮材７に傾斜立ち上がり壁７ａを設けるようにしたため、屋根材同士がつなぎ合わされた状態では、その相互間に隙間が形成されたとしても、厚さ方向に沿って連続するような隙間が形成されることがなく、これにより断熱性能が大きく損なわれることはない。また、隙間を通して雨水等が侵入することがあったとしても侵入した雨水等は、隠し樋ｅを通して軒側へと迅速に排出されることになる。
【００３０】
傾斜下がり壁６ａ、傾斜立ち上がり壁７ａの角度については、いずれにおいても、水平面に対して４５〜８０°程度とするのが好ましい。
【００３１】
図７は、本発明にしたがう嵌合式屋根材を複数枚用いて建築構造物の屋根を葺きあげる場合の一例を部分的に示した図である。
【００３２】
屋根材の配置手順としては、まず、野地板に二次防水紙のアスファルトルーフィングを敷設し、屋根材の働き幅に合わせて割付け、墨出しを行い、軒先に軒先水切りを取付けたのち（図示せず）、屋根の「けらば」の軒から墨出しに合わせて一列・一段目の屋根材を配置し、その屋根材の舌片９（隠し樋ｅを除く部分）に所定間隔でもってビスをねじ込むか、あるいは釘等を打ち付けて野地板、母屋等に固定する。なお、一列・一段目の屋根材としては、第一の板状体５ａの端縁を第三のハゼ５ｂ、第四のハゼ５ｃの面よりも突出させるとともに、舌片９の端縁を第四のハゼ５ｃ端面と面一状態にしたものを用いるのが好ましい。
【００３３】
次に、一列・二段目の屋根材（隣接配置する他の屋根材）を、既に固定された一列・一段目の屋根材の水上側（棟側）に配置して屋根材同士を接続する。一列・一段目の屋根材と一列・二段目の屋根材とを接続するには、一列・二段目の屋根材の上継手５を、一列・一段目の屋根材の下継手４に重ね合わせるべく、上継手５の第三のハゼ５ｂを、下継手４の第一のハゼ４ｂに、また上継手５の第四のハゼ５ｃを、下継手４の第二のハゼ４ｃに嵌合させればよい。一列・二段目の屋根材も舌片９にビスをねじ込むかあるいは釘等を打ち付けることによって野地板、母屋等に固定する。
【００３４】
上記の接続作業は、屋根の棟に達するまで繰り返し行い（梁間方向の接続）、一列目の接続作業を終えたならば、二列目の屋根材を配置する。
【００３５】
二列目の屋根材として、二列・一段目の屋根材を配置するには、既に固定された一列・一段目の屋根材の下ハゼ３に二列・一段目の屋根材の上ハゼ２を嵌合させるとともに、一列・二段目の屋根材の第四のハゼ５ｃに、二列・一段目の屋根材の第一のハゼ４ｂを嵌合させる（桁方向の接続）。
【００３６】
次いで、二列・二段目の屋根材の上ハゼ２を、一列・二段目の屋根材の下ハゼ３に、その第三のハゼ５ｂを二列・一段目の屋根材の第一のハゼ４ｂに、その第一のハゼ４ｂを、一列・二段目の屋根材の第二のハゼ４ｃにそれぞれ嵌合させればよく、二列目の屋根材の接続作業についても一列目の屋根材と同様に屋根の棟に達するまで繰り返し行う。
【００３７】
三列目以降の屋根材については、二列目の屋根材と同じ手順で梁間方向、桁方向に接続していけばよく、これにより建築構造物の屋根が葺あげられることになる。
【００３８】
本発明にしたがう屋根材としては、屋根材本体１の短尺縁部１ｃと下継手４の板状体４ａが面一状態でつながるものを例として示したが、短尺縁部１ｃと板状体４ａとの境界には、板状体４ａが短尺縁部よりも低くなる段差を設けることも可能であり、これにより、上継手５が下継手４に重ね合わさったとき、フラットな外表面を形成することができる。
【産業上の利用可能性】
【００３９】
本発明によれば、断熱性能を損なうことなしに屋根材同士のつなぎ合わせを可能とするサンドイッチタイプの嵌合式屋根材が提供できる。
【符号の説明】
【００４０】
１      屋根材本体
１ａ    長尺縁部
１ｂ    長尺縁部
１ｃ    短尺縁部
１ｄ    短尺縁部
２      上ハゼ
２ａ    傾斜側板
２ｂ    頭部
２ｃ    傾斜側板
３      下ハゼ
３ａ    側板
３ｂ    頭部
３ｃ    側板
３ｄ    固定用舌片
４      下継手
４ａ    板状体
４ｂ    第一のハゼ
４ｃ    第二のハゼ
５      上継手
５ａ    第一の板状体
５ｂ    第三のハゼ
５ｃ    第四のハゼ
６      外皮材
６ａ    傾斜下がり壁
７      内皮材
７ａ    傾斜立ち上がり壁
８      芯材
９      舌片
１０    リブ
ｅ      隠し樋
【図１】
2020176402.tif 000003
【図２】
2020176402.tif 000004
【図３】
2020176402.tif 000005
【図４】
2020176402.tif 000006
【図５】
2020176402.tif 000007
【図６】
2020176402.tif 000008
【図７】
2020176402.tif 000009
【図８】
2020176402.tif 000010